(57)【要約】【課題】クライアントサーバシステムにおいて、各クライアント端末に対するプリンタの設定作業を含むプリンタの管理を効率化できる、プリンタの管理方法およびそのシステムを提供する。【解決手段】サーバ200と複数のクライアント端末Ｃ１〜Ｃｎと複数のプリンタＰ１〜Ｐｎが相互にネットワーク300で接続されたクライアントサーバシステムＳにおいて、サーバ200はクライアント端末毎に設定されるプリンタのプリンタ定義情報が保存されたプリンタ定義情報テーブル２２１Ａと共有プリンタの共有プリンタ接続情報テーブル２２１Ｃを含むプリンタマスタデータベース２２１を備え、特定のクライアント端末からの起動信号に基づき、プリンタ定義情報テーブル２２１Ａと共有プリンタ接続情報テーブル２２１Ｃから特定のクライアント端末に関するプリンタ定義情報と共有プリンタ接続情報を取得し、取得した各情報を前記特定のクライアント端末に導入する。【選択図】図１
2016134112.tif 000002
【特許請求の範囲】
【請求項１】
サーバと複数のクライアント端末と複数のプリンタが相互にネットワークで接続されたクライアントサーバシステムにおいて、
前記サーバは、個々のクライアント端末毎に設定されるプリンタのプリンタＩＤ、ポート番号、プリンタドライバ情報を含むプリンタ定義情報が保存されたプリンタ定義情報マスタを備えており、
特定のクライアント端末からの起動情報に基づき、前記プリンタ定義情報マスタから特定のクライアント端末に関するプリンタ定義情報を取得するステップと、
取得したプリンタ定義情報を前記特定のクライアント端末に導入するステップを備えることを特徴とするプリンタの管理方法。
【請求項２】
前記サーバが、個々のクライアント端末毎に設定される共有プリンタのプリンタＩＰ、接続切替情報を含む共有プリンタ接続情報が保存された共有プリンタ接続情報マスタを備えており、
特定のクライアント端末からの起動信号に基づき、前記共有プリンタ接続情報マスタから特定のクライアント端末に関する共有プリンタ接続情報を取得し、
取得した接続情報に係る共有プリンタと特定のクライアント端末とを接続するステップをさらに備えることを特徴とする請求項１記載のプリンタの管理方法。
【請求項３】
前記クライアントサーバシステムが、前記サーバおよび前記各クライアント端末を、仮想サーバおよび仮想デスクトップとして使用可能な環境下にあり、
仮想デスクトップとして使用する特定のクライアント端末からの起動情報に基づき、当該特定のクライアント端末に導入されたプリンタ定義情報を削除すると共に、仮想サーバとして使用する前記サーバ内の前記プリンタ定義情報マスタから前記特定のクライアント端末に関するプリンタ定義情報を取得し、取得したプリンタ定義情報を前記特定のクライアント端末に導入することを特徴とする請求項１または請求項２に記載のプリンタの管理方法。
【請求項４】
仮想サーバとして使用される前記サーバが、個々のクライアント端末毎に設定される共有プリンタのプリンタＩＤ、接続切替情報を含む共有プリンタ接続情報が保存された共有プリンタ接続情報マスタを備えており、
仮想デスクトップとして使用する特定のクライアント端末からの起動信号に基づき、前記共有プリンタ接続情報マスタから前記特定のクライアント端末に関する共有プリンタ接続情報を取得し、取得した接続情報に係る共有プリンタと前記特定のクライアント端末とを接続するステップをさらに備えることを特徴とする請求項３記載のプリンタの管理方法。
【請求項５】
サーバと複数のクライアント端末と複数のプリンタが相互にネットワークで接続されたクライアントサーバシステムにおいて、
前記サーバは、
個々のクライアント端末毎に設定されるプリンタのプリンタＩＤ、ポート番号、プリンタドライバ情報を含むプリンタ定義情報が保存されたプリンタ定義情報マスタを備えており、
さらに、特定のクライアント端末からの起動情報に基づき、前記プリンタ定義情報マスタから前記特定のクライアント端末に関するプリンタ定義情報を取得する取得手段と、取得したプリンタ定義情報を前記特定のクライアント端末に導入する導入手段を備えることを特徴とするプリンタの管理システム。
【請求項６】
前記サーバが、個々のクライアント端末毎に設定される共有プリンタのプリンタＩＤ、接続切替情報を含む共有プリンタ接続情報が保存された共有プリンタ接続情報マスタを備えており、
特定のクライアント端末からの起動信号に基づき、前記共有プリンタ接続情報マスタから特定のクライアント端末に関する共有プリンタ接続情報を取得し、取得した接続情報に係る共有プリンタと特定のクライアント端末とを接続する接続手段をさらに備えることを特徴とする請求項５記載のプリンタの管理システム。
【請求項７】
前記クライアントサーバシステムが、前記サーバおよび前記各クライアント端末を、仮想サーバおよび仮想デスクトップとして使用可能な環境下にあり、
仮想デスクトップとして使用される特定のクライアント端末からの起動信号に基づき、当該特定のクライアント端末に導入されたプリンタ定義情報を削除する削除手段を備え、前記起動情報に基づき、前記取得手段が、仮想サーバとして使用される前記サーバ内の前記プリンタ定義情報マスタから前記特定のクライアント端末に関するプリンタ定義情報を取得し、前記導入手段が、前記削除手段によりプリンタ定義情報が削除された前記特定のクライアント端末に対し、取得したプリンタ定義情報を新たに導入することを特徴とする請求項５または請求項６記載のプリンタの管理システム。
【請求項８】
仮想サーバとして使用される前記サーバが、個々のクライアント端末毎に設定される共有プリンタのプリンタＩＤ、接続切替情報を含む共有プリンタ接続情報が保存された共有プリンタ接続情報マスタを備えており、
仮想デスクトップとして使用される特定のクライアント端末からの起動信号に基づき、前記共有プリンタ接続情報マスタから前記特定のクライアント端末に関する共有プリンタ接続情報を取得し、取得した接続情報に係る共有プリンタと前記特定のクライアント端末とを接続する接続手段をさらに備えていることを特徴とする請求項７記載のプリンタの管理システム。  
【発明の詳細な説明】
【技術分野】
【０００１】
本発明は、クライアントサーバシステムにおいて、クライアント端末毎に設定されるプリンタの管理方法と管理システムに関する。
【背景技術】
【０００２】
事業所や工場、病院、公共機関などのコンピュータネットワークにおいては、利用者が共有するデータが置かれるコンピュータ（サーバ）と、個々の利用者（ユーザー）が操作するコンピュータ（クライアント）が相互にネットワークで接続されたクライアントサーバシステムが一般化している。
【０００３】
また、近年、サーバの稼働率向上とクライアントの一元管理を図るため、クライアントを仮想化し、クライアントからの操作によりサーバ上で仮想のクライアントＯＳおよびアプリケーションを作動させるようにした仮想化システムが普及しつつある（例えば特許文献１〜３を参照）。
【先行技術文献】
【特許文献】
【０００４】
【特許文献１】特開２００９−０６４１４３号公報
【特許文献２】特開２００９−１６９７９７号公報
【特許文献３】特開２０１３−０２０５５３号公報
【発明の概要】
【発明が解決しようとする課題】
【０００５】
ところで、前者のクライアントサーバシステムにおいては、プリンタを導入設定する場合、プリンタドライバの導入、ポートの追加、共有プリンタの接続等の作業を個々のクライアント毎に実施しなければならず、クライアントの台数が数百台に及ぶ事業所もあり、設定作業に携わる作業者の負担や工数が多大となっている。
【０００６】
また、後者の仮想化システムにおいては、例えばあるユーザーが特定のクライアントからサーバ内に構築した仮想ＯＳ上で作成したドキュメントを近くのプリンタで出力した後、別のクライアントに移動して（例えば前者のクライアントが事業所の１階に設置されているのに対し、後者のクライアントが事業所の４階に設置されている場合）、そこからサーバ内に再び構築した仮想ＯＳ上で作成したドキュメントを近くのプリンタで出力しようとすると、出力するプリンタをユーザーがその都度クライアントから設定する必要があった。このため、特に多数のプリンタ、共有プリンタが存在する場合には、多数のプリンタ群から出力する一のプリンタを特定し設定するユーザーの負担が多大なものであった。
【０００７】
本発明は上記課題に鑑みてなされたもので、クライアントサーバシステムにおいて、各クライアント端末に対するプリンタの設定作業を含むプリンタの管理を効率化できる、プリンタの管理方法およびそのシステムを提供することを目的とする。
【課題を解決するための手段】
【０００８】
上記課題を解決するために、本発明に係るプリンタの管理方法は、
サーバと、個々のユーザーが操作する複数のクライアント端末と、複数のプリンタが相互にネットワークで接続されたクライアントサーバシステムにおいて、
前記サーバは、個々のクライアント端末毎に設定されるプリンタのプリンタＩＤ、ポート番号、プリンタドライバ情報を含むプリンタ定義情報が保存されたプリンタ定義情報マスタを備えており、
特定のクライアント端末からの起動信号に基づき、前記プリンタ定義情報マスタから特定のクライアント端末に関するプリンタ定義情報を取得するステップと、
取得したプリンタ定義情報を前記特定のクライアント端末に導入するステップを備えることを主要な特徴とする。
【０００９】
本発明に係るプリンタの管理方法は、
前記サーバが、個々のクライアント端末毎に設定される共有プリンタのプリンタＩＤ、接続切替情報を含む共有プリンタ接続情報が保存された共有プリンタ接続情報マスタを備えており、
特定のクライアント端末からの起動信号に基づき、前記共有プリンタ接続情報マスタから特定のクライアント端末に関する共有プリンタ接続情報を取得し、
取得した接続情報に係る共有プリンタと特定のクライアント端末とを接続するステップをさらに備える、ことを第２の特徴とする。
【００１０】
本発明に係るプリンタの管理方法は、
前記クライアントサーバシステムが、前記サーバおよび前記各クライアント端末を、仮想サーバおよび仮想デスクトップとして使用可能な環境下にあり、
仮想デスクトップとして使用する特定のクライアント端末からの起動情報に基づき、当該特定のクライアント端末に導入されたプリンタ定義情報を削除すると共に、仮想サーバとして使用する前記サーバ内の前記プリンタ定義情報マスタから前記特定のクライアント端末に関するプリンタ定義情報を取得し、取得したプリンタ定義情報を前記特定のクライアント端末に導入することを第３の特徴とする。
【００１１】
本発明に係るプリンタの管理方法は、
仮想サーバとして使用する前記サーバが、個々のクライアント端末毎に設定される共有プリンタのプリンタＩＤ、接続切替情報を含む共有プリンタ接続情報が保存された共有プリンタ接続情報マスタを備えており、
仮想デスクトップとして使用する特定のクライアント端末からの起動信号に基づき、前記共有プリンタ接続情報マスタから前記特定のクライアント端末に関する共有プリンタ接続情報を取得し、取得した接続情報に係る共有プリンタと前記特定のクライアント端末とを接続するステップをさらに備えることを第４の特徴とする。
【００１２】
本発明に係るプリンタの管理システムは、
サーバと、個々のユーザーが操作する複数のクライアント端末と、複数のプリンタが相互にネットワークで接続されたクライアントサーバシステムにおいて、
前記サーバは、
個々のクライアント端末毎に設定されるプリンタのプリンタＩＤ、ポート番号、プリンタドライバ情報を含むプリンタ定義情報が保存されたプリンタ定義情報マスタを備えており、
さらに、特定のクライアント端末からの起動信号に基づき、前記プリンタ定義情報マスタから前記特定のクライアント端末に関するプリンタ定義情報を取得する取得手段と、取得したプリンタ定義情報を前記特定のクライアント端末に導入する導入手段を備えていることを主要な特徴とする。
【００１３】
本発明に係るプリンタの管理システムは、
前記サーバが、個々のクライアント端末毎に設定される共有プリンタのプリンタＩＤ、接続切替情報を含む共有プリンタ接続情報が保存された共有プリンタ接続情報マスタを備えており、
特定のクライアント端末からの起動信号に基づき、前記共有プリンタ接続情報マスタから特定のクライアント端末に関する共有プリンタ接続情報を取得し、
取得した接続情報に係る共有プリンタと特定のクライアント端末とを接続する接続手段をさらに備える、ことを第２の特徴とする。
【００１４】
本発明に係るプリンタの管理システムは、
前記クライアントサーバシステムが、前記サーバおよび前記各クライアント端末を、仮想サーバおよび仮想デスクトップとして使用可能な環境下にあり、
仮想デスクトップとして使用される特定のクライアント端末からの起動信号に基づき、当該特定のクライアント端末に導入されたプリンタ定義情報を削除する削除手段を備え、前記起動情報に基づき、前記取得手段が、仮想サーバとして使用される前記サーバ内の前記プリンタ定義情報マスタから前記特定のクライアント端末に関するプリンタ定義情報を取得し、前記導入手段が、前記削除手段によりプリンタ定義情報が削除された前記特定のクライアント端末に対し、取得したプリンタ定義情報を新たに導入することを第３の特徴とする。
【００１５】
本発明に係るプリンタの管理システムは、
仮想サーバとして使用される前記サーバが、個々のクライアント端末毎に設定される共有プリンタのプリンタＩＤ、接続切替情報を含む共有プリンタ接続情報が保存された共有プリンタ接続情報マスタを備えており、
仮想デスクトップとして使用される特定のクライアント端末からの起動信号に基づき、前記共有プリンタ接続情報マスタから前記特定のクライアント端末に関する共有プリンタ接続情報を取得し、取得した接続情報に係る共有プリンタと前記特定のクライアント端末とを接続する接続手段をさらに備えていることを第４の特徴とする。
【発明の効果】
【００１６】
以上説明したように、本発明によれば、システム管理者が、サーバに備えたプリンタ定義情報マスタにクライアント端末毎に対応する最新のプリンタ情報を予め設定しておき、後はユーザーが利用するクライアント端末を起動させるだけで、その都度、利用するクライアント端末に最新のプリンタ情報が設定されるので、クライアントの端末の設置毎にあるいはプリンタの移設毎に行っていた従来のプリンタ設定作業を省略化でき、これによりプリンタの管理をより効率化できるという効果を奏する。
【００１７】
多数のクライアント端末と多数のプリンタが互いにネットワークで接続される大きなシステムや仮想化環境下で使用されるシステムにおいては、特に大きな効果を奏する。
【図面の簡単な説明】
【００１８】
【図１】クライアントサーバシステムの全体構成図、
【図２】メインサーバの構成図、
【図３】プリントサーバの構成図、
【図４】プリンタマスタデータベースの一部を示す構成図、
【図５】プリンタ定義情報テーブルの例を示す図、
【図６】共有プリンタ接続情報テーブルの例を示す図、
【図７】共有プリンタのプリンタ定義情報テーブルの例を示す図、
【図８】プリントサーバに含まれる制御部の構成図である。
【発明を実施するための最良の形態】
【００１９】
本発明を実施するための一実施形態を、図面を参照しながら説明する。図１において、符号Ｓはクライアントサーバシステムを示している。
【００２０】
まず、クライアントサーバシステムＳ（以下、システムＳという）について説明すると、本実施形態において、クライアントサーバシステムＳは、図１に示すように、メインサーバ１００およびプリントサーバ２００と、多数のクライアント端末Ｃ（Ｃ１〜Ｃｎ）と、多数のプリンタＰ（Ｐ１〜Ｐｎ）および共有プリンタＫＰ（ＫＰ１〜ＫＰｎ）を備え、それらがネットワーク回線３００で接続されている。
【００２１】
メインサーバサーバ１００は、複数のユーザーが利用するデータやプログラムが置かれるもので、図２に示すように、入出力部１１０、データベース部１２０、記憶部（メモリー）１３０、演算処理部１４０、制御部１５０を備えている。
【００２２】
データベース部１２０は、端末マスタデータベース１２１、ユーザーデータベース１２２、プログラムデータベース１２３を備えている。このうち、端末マスタデータベース１２１には、クライアント端末Ｃ毎に設定される端末定義情報を含むマスタデータが格納されている。ユーザーデータベース１２２には、複数のユーザーが各クライアント端末Ｃからユーザー毎に利用・加工・作成されるデータが格納されている。プログラムデータベース１２３には、各クライアント端末Ｃを操作するためのプログラム、各クライアント端末からの操作により実行されるアプリケーションプログラム、各クライアント端末をユーザー毎の仮想化マシンとして実行させるプログラム等が格納されている。
【００２３】
プリントサーバ２００は、複数のクライアント端末Ｃからの印刷要求に対する処理を実行するもので、図３に示すように、入出力部２１０、データベース部２２０、記憶部（メモリー）２３０、演算処理部２４０、制御部２５０を備えている。
【００２４】
データベース部２２０は、プリンタマスタデータベース２２１、プログラムデータベース２２２を備えている。プリンタマスタデータベース２２１には、クライアント端末Ｃ毎に設定されるプリンタ定義情報を含むプリンタマスタデータが格納されている。プログラムデータベース２２２には、各プリンタＰ毎に処理を実行させるプリンタドライバ、本発明に係るプリンタ管理方法の各手順を実行させるプログラム等が格納されている。なお、データベース部２２０には、共有プリンタＫＰに関する共有プリンタ定義情報も格納されている。
【００２５】
図４は、プリンタマスタデータベース２２１の構成を示している。プリンタマスタデータベース２２１は、プリンタ定義情報テーブル２２１Ａと、印刷設定フォルダ群２２１Ｂと、共有プリンタ接続情報テーブル２２１Ｃを備えている。
【００２６】
図５は、プリンタ定義情報テーブル２２１Ａと印刷設定フォルダ群２２１Ｂの構成例を示している。同図（Ａ）に示すプリンタ定義情報テーブル２２１Ａには、プリンタ情報として、対応する端末名とともに、プリンタ名（プリンタＩＤ）、ポート番号、ドライバ（プリンタドライバ）、モデル名（プリンタモデル名）の各情報、通常使用するプリンタか否かの設定情報が保存されている。図示例では、１つのクライアント端末（例えばＣ１）で複数のプリンタ（Ｐ１〜Ｐｎ）から同じフロア（例えば１階）あるいは近傍にあるプリンタ（例えばＰ１）を通常使用するプリンタとして選択できる。また、同図（Ｂ）に示す印刷設定フォルダ群２２１Ｂに含まれる個々のプリンタＰ毎の印刷設定フォルダには、個々のプリンタＰに対応して印刷設定情報が格納されている。格納される印刷設定情報には、出力用紙サイズ（Ａ３、Ａ４など）、印刷の向き（縦・横）、ページレイアウト（１枚／枚、２枚／枚など）、印刷方法（片面印刷、両面印刷など）、印刷品質（普通、きれいなど）等の情報が含まれる。
【００２７】
図６は、共有プリンタ接続情報テーブル２２１Ｃの例を示している。同図に示す共有プリンタ接続情報テーブル２２１Ｃには、個々のクライアント端末毎に、共有プリンタ接続情報として、共有プリンタ名（プリンタＩＤ）、接続切替（接続ＯＮ／ＯＦＦ）の各情報が保存されている。なお、図示例では接続切替が「０」に設定されているときは接続ＯＮとなり、「１」に設定されているときは接続ＯＦＦとなる。
【００２８】
図７は、データベース部２２０に保存された共有プリンタ定義情報テーブルを示している。同共有プリンタ定義情報テーブルには、共有プリンタ接続情報として、個々の共有プリンタ毎に、端末名とともに、プリンタサーバ、ユーザ名、パスワード、共有プリンタ名（プリンタＩＤ）、ＩＰアドレス、ドライバ（プリンタドライバ）、モデル名（プリンタモデル名）の各情報が保存されている。なお、図７に記載がないが、プリンタＰと同様に共有プリンタについても、個々の共有プリンタ（ＫＰ１〜ＫＰｎ）に対応する印刷設定情報を個々のフォルダに格納し、フォルダ内の印刷設定情報を共有プリンタ自動接続情報テーブル２２１Ｃと連携させることも可能である。
【００２９】
プリンタマスタデータベース２２１に、図５に示すプリンタ定義情報テーブル２２１Ａおよび印刷設定フォルダ群２２１Ｂと、図６に示す共有プリンタ自動接続情報テーブル２２１Ｃを備えることで、システム管理者が、クライアント端末毎に行うプリンタ設定を一元管理することができるようになる。なお、共有プリンタ定義情報テーブルをプリンタマスタデータベース２２１に備えて共有プリンタの設定についても一元管理できるようにしてよい。
【００３０】
図８は、プリントサーバ２００に含まれる制御部２５０の構成を示している。同図に示すように、制御部２５０は、特定のクライアント端末Ｃに対応する（最寄りの）プリンタＰのプリンタ定義情報を取得するプリンタ定義情報取得部２５１と、取得したプリンタ定義情報を特定のクライアント端末に導入するプリンタ定義情報導入部２５２を備えている。
【００３１】
すなわち、プリンタ定義情報取得部２５１は、特定のクライアント端末Ｃからの起動信号（スタートアップ信号）を受信すると、前記プリンタ定義情報テーブル２２１Ａおよび印刷設定フォルダ群２２１Ｂから、特定のクライアント端末Ｃに対応するプリンタＰのプリンタ定義情報を取得するように動作する。また、プリンタ定義情報導入部２５２は、取得したプリンタ定義情報を、特定のクライアント端末Ｃに送信し、特定のクライアント端末Ｃに導入するように動作する。
【００３２】
さらに、上記制御部２５０は、特定のクライアント端末Ｃに対応する共有プリンタＫＰと特定のクライアント端末Ｃを自動接続する共有プリンタ接続部２５３を備えている。同共有プリンタ接続部２５３は、特定のクライアント端末Ｃからの起動信号（スタートアップ信号）を受信すると、共有プリンタ自動接続情報テーブル２２１Ｃから、対応する共有プリンタＫＰの接続情報を取得し、特定のクライアント端末Ｃと自動接続するように動作する。
【００３３】
クライアント端末Ｃのタイプとしては、メインサーバ１００からデータを受け取り、クライアント端末上で殆どの処理を実行する従来からのクライアントの他、クライアント端末上でアプリケーションのみを実行させるリッチクライアント、クライアント端末からの操作によりメインサーバ１００上でアプリケーションを実行させるシンクライアント、さらには仮想化マシンとしての利用を前提とするゼロクライアントの、各タイプが含まれる。
【００３４】
以上のように構成されたクライアントサーバシステムＳにおいて、プリンタサーバ２００におけるプリンタマスタデータベース２２１、プリンタ定義情報取得部２５１、プリンタ定義情報導入部２５２、共有プリンタ接続部２５３はそれぞれ、プリンタ管理システムの主要部を構成する。なお、同様の構成をメインサーバ１００内に構築してもよい。
【００３５】
次に、上記システムＳにおいて、ユーザーが利用する特定のクライアント端末Ｃから、対応する特定（最寄り）のプリンタＰを自動設定する手順、対応する共有プリンタＫＰを自動接続する手順について説明する。
【００３６】
前提として、システム管理者が、プリンタマスタデータベース２２１の、図５に示すプリンタ定義情報テーブル２２１Ａおよび印刷設定フォルダ群２２１Ｂ、図６に示す共有プリンタ接続情報テーブル２２１Ｃに対し、各クライアント端末Ｃ（Ｃ１〜Ｃｎ）毎に対応する最新のプリンタ情報および共有プリンタ接続情報を設定しておく。また、必要な共有プリンタ定義情報を設定しておく。
【００３７】
１階にいるユーザーが、多数のクライアント端末Ｃ１〜Ｃｎのうち、利用予定のクライアント端末Ｃ１を起動（スタートアップ）させると、起動信号（スタートアップ信号）がプリンタサーバ２００に送信され、次いで、受信した起動信号に基づき、プリンタサーバ２００内のプリンタ定義情報取得部２５１が作動し、プリンタ定義情報テーブル２２１Ａおよび印刷設定フォルダ群２２１Ｂから、クライアント端末Ｃ１に対応するプリンタＰ（Ｐ１〜Ｐ５）のプリンタ定義情報を取得する。
【００３８】
さらに、受信した起動信号に基づき、プリンタサーバ２００内のプリンタ定義情報導入部２５２が作動し、取得したプリンタ定義情報をクライアント端末Ｃ１に送信し、対応するプリンタＰ（Ｐ１〜Ｐ５）のプリンタ定義情報がクライアント端末Ｃ１に導入される。これにより、クライアント端末Ｃ１に対するプリンタＰ（Ｐ１〜Ｐ５）の設定作業が完了する。ユーザーはクライアント端末Ｃ１から最寄りのプリンタＰ１を通常使用するプリンタとして使用することができる。
【００３９】
また、並行して、受信した起動信号に基づき、プリンタサーバ２００内の共有プリンタ接続部２５３が作動し、共有プリンタ接続情報テーブル２２１Ｃから、対応する共有プリンタＫＰ（ＫＰ１−ＫＰ４）の接続情報を取得し、クライアント端末Ｃ１と自動接続する。これにより、クライアント端末Ｃ１に対する共有プリンタＫＰ（ＫＰ１〜ＫＰ４）の接続作業が完了する。ユーザーはクライアント端末Ｃ１に自動接続された共有プリンタＫＰ（ＫＰ１〜ＫＰ４）を使用できる。
【００４０】
以上のように、システム管理者がプリンタマスタデータベース２２１に対しクライアント端末毎に対応する最新のプリンタ情報および共有プリンタ接続情報を予め設定保存しておき、後はユーザーが利用するクライアント端末を起動させるだけで、その都度、利用するクライアント端末に最新のプリンタ情報、共有プリンタ接続情報が設定される。
【００４１】
ユーザーが利用するクライアント端末からのプリンタ情報および共有プリンタ接続情報の設定作業は、ユーザーがクライアント端末を仮想化デスクトップ環境下で使用する場合に特に大きなメリットをもたらす。
【００４２】
すなわち、上記の例で、ユーザーが１階にあるクライアント端末Ｃ１を仮想化デスクトップの環境下で起動させると、クライアント端末Ｃ１に前回導入されたプリンタ定義情報がいったん全て削除された後に最寄りのプリンタＰ１を通常使用するプリンタとして設定する最新のプリンタの設定作業と、共有プリンタＫＰへの接続作業が自動的に行われる。これにより、ユーザーはクライアント端末Ｃ１からの印刷出力操作時にプリンタの設定作業を行う面倒がなく、最寄りのプリンタＰ１からまたは所望の共有プリンタＫＰから印刷を出力することができる。
【００４３】
そして、同じユーザーが例えば３階に移動して３階にあるクライアント端末Ｃ３を仮想デスクトップ環境下で起動させると、上記の手順で最寄り（３階）のプリンタＰ３を通常使用するプリンタとして設定するプリンタの設定作業と、共有プリンタＫＰへの接続作業が自動的に行われる。これによって、ユーザーは３階にあるクライアント端末Ｃ３からの印刷出力操作時に、元の設定（１階のプリンタＰ１を通常使用するプリンタとして設定）から改めて３階の最寄りのプリンタＰ３に設定し直す作業が不要となり、最寄りのプリンタＰ３からまたは所望の共有プリンタＫＰから印刷を出力することができる。
【００４４】
この点、従来の仮想デスクトップ環境下では、移動先のクライアント端末Ｃ３を起動させた後に、多数のプリンタ群から最寄りのプリンタＰ３を選択して設定しなければならなかったが、本システムＳではその面倒な作業を省略できる。そのため、特に、工場、事業所、病院、自治体など、数十台から数百台に及ぶクライアント端末とプリンタどうしをネットワークで接続するような大規模システムにおいては、設定作業の効率化に与える効果が非常に大きい。
【００４５】
かくして、以上説明してきたように、本発明のシステムを用いたプリンタの管理方法を実行することにより、各クライアント端末に対するプリンタの設定作業や共有プリンタへの接続作業を大幅に省略化することができ、プリンタの管理をより効率化することができる。
【産業上の利用可能性】
【００４６】
本発明は、クライアントサーバシステムにおけるプリンタの管理方法および管理システムとして利用可能である。
【符号の説明】
【００４７】
１００  メインサーバ（サーバ）
１１０，２１０  入出力部
１２０，２２０  データベース部
１２１  端末マスタデータベース
１２２  ユーザーデータベース
１２３，２２２  プログラムデータベース
１３０，２３０  記憶部
１４０，２４０  演算処理部
１５０，２５０  制御部
２００  プリントサーバ（サーバ）
２２１  プリンタマスタデータベース
２２１Ａ  プリンタ定義情報テーブル
２２１Ｂ  印刷設定フォルダ群
２２１Ｃ  共有プリンタ接続情報テーブル
２５１  プリンタ定義情報取得部
２５２  プリンタ定義情報導入部
２５３  共有プリンタ接続部
３００  ネットワーク回線
Ｃ（Ｃ１〜Ｃｎ）  クライアント端末
Ｐ（Ｐ１〜Ｐｎ）  プリンタ
ＫＰ（ＫＰ１〜ＫＰｎ）  共有プリンタ
【図２】
2016134112.tif 000003
【図３】
2016134112.tif 000004
【図４】
2016134112.tif 000005
【図５】
2016134112.tif 000006
【図６】
2016134112.tif 000007
【図７】
2016134112.tif 000008
【図８】
2016134112.tif 000009
【図１】
2016134112.tif 000010